(57)【特許請求の範囲】
【請求項１】
前面側を覆うカバーおよび後面側を覆うケースとからなる器体と、
前記カバーの内側を上下に仕切る仕切壁と、
前記カバーにおいて、仕切壁よりも上と下の位置にそれぞれ開口された上側開口部および下側開口部と、
前記カバーの表面であって前記上側開口部と下側開口部との間に位置し、前記仕切壁に連続して形成された遮蔽壁と、
前記器体の内部に設置され、前記上側開口部に臨んで配置された感熱センサ，前記仕切壁の下側であって前記遮蔽壁の内側面に対向して配置された発光体，および電源との接続用の接続端子を含む電子部品を一体に取り付けた基板と、
前記上側開口部を覆うセンサレンズと、
前記基板上に取り付けられ、前記センサレンズを支持するレンズホルダと、
前記下側開口部を覆うランプフードと、
前記発光体の光を下側開口部に導く傾斜壁と、
を備え、
前記遮蔽壁の下端を、前記発光体よりも下方の位置まで延ばし、
前記仕切壁、遮蔽壁および傾斜壁を前記カバーと一体成形したことを特徴とする足元用照明器具。
【請求項２】
前記傾斜壁は、発光体の光を集光する方向に円弧状に形成されていることを特徴とする請求項１記載の足元用照明器具。
【請求項３】
前記発光体が、白色ＬＥＤで構成されていることを特徴とする請求項１または２記載の足元用照明器具。
【請求項４】
前記電源の接続端子が、前記傾斜壁の裏面に配置されていることを特徴とする請求項１ないし３記載の足元用照明器具。
【請求項５】
前記基板には、光センサが感熱センサに並設されていることを特徴とする請求項１ないし４記載の足元用照明器具。
【発明の詳細な説明】
【０００１】
【発明の属する技術分野】
本発明は、足元を照らす足元用照明器具に関する。
【０００２】
【従来の技術】
従来、夜間に、足元を低い照度で照らし、特に、夜中に目が覚めた時などに利用者が眩しく感じることなく歩行などを助ける足元用照明器具が知られている。このような足元用照明器具は、従来、発光体として電球が用いられるとともに、点灯／消灯の切り換えをスイッチ操作により行うように構成されている。
【０００３】
【発明が解決しようとする課題】
上述のような従来の足元用照明器具は、点灯／消灯の切り換えをスイッチ操作により行うように構成されていたため、通常、消灯させていると、いざ点灯しようとした時に真っ暗な中でスイッチ操作を行うことが難しい。そこで、夜間は常時点灯させるようにすると、前記したスイッチ操作の煩わしさは解消できるが、消費電力が多くなって省エネという観点からは好ましいものではない。
【０００４】
上記問題を解決するために、人を検知して自動的に点灯／消灯を切り換えるようにすることが考えられる。
このように人を検知して自動的にオン／オフを切り換えるスイッチとして、例えば、特開平９−８２１８８号公報や特開平９−５０７４９号公報に記載された感熱センサスイッチが公知である。この感熱センサスイッチは、人、厳密には人体などの熱放射体から放射される熱線を検知して、照明器具などに対してオン・オフを切り換えるよう構成されている。
【０００５】
したがって、本願発明者は、発明の第１段階として、上記足元用照明器具に、上記公報記載の感熱センサスイッチを適用することを考えた。このように構成することにより、夜間、通常は照明を消灯させておき、人が来た時のみ、自動的に一定時間照明を点灯させるというような使用が可能であり、よって、暗いところでのスイッチ操作が不要になって便利であるし、消費電力も低減できる。
【０００６】
しかしながら、上述のように、従来の足元用照明器具の点灯／消灯の切り換えを、従来の感熱センサスイッチにより切り換える構成としても、以下に列挙する解決すべき課題を有していた。
イ）足元用照明器具と感熱センサスイッチとをそれぞれ設ける必要があるため、設置に手間がかかるし、部品点数が多くなって、コスト的に不利である。
ロ）足元を照明する場合、その照明光が上方にも向かう構造であると、暗い場所から移動してきた人は眩しく感じるもので、特に、老人などのように瞳孔の調整能力が低減した人が夜中にトイレに行く場合などには、一旦、光が目に入ると、瞳孔の調整が間に合わず、眩しく感じるとともに、しばらく目が見えない状態となることがある。このため、照明光を上方に拡散させることなく確実に足元のみを照らす構造とすることが望まれていたが、従来、これを充分に達成することができなかった。
ハ）足元用照明器具にあっては、上述のように電球を使用したものが一般的であり、使用に伴って、電球切れが生じ、その度に電球を交換する必要があり、維持に手間がかかる。また、電球交換時の安全対策を図る必要があり、その分、構成の複雑化ならびにコストアップを招く。
【０００７】
本発明は、上述の解決すべき課題に着目してなされたもので、足元用照明器具において、消費電力の低減を図るとともに、スイッチ操作の煩わしさを無くすことを可能とするのに加えて、足元の照明機能と感熱センサの機能との一体化を図ることにより、部品点数および設置の手間の削減を図り、かつ、照明光が直接人の目に入ることなく足元方向に集光させるようにして、防眩性能および足元照明性能の向上を図ることを主たる目的とし、さらに、電球の交換を不要としてメンテナンス性の向上、および構成の簡略化を図ることを目的としている。
【０００８】
【課題を解決するための手段】
上述の目的を達成するために、本発明の足元用照明器具は、前面側を覆うカバーおよび後面側を覆うケースとからなる器体と、前記カバーの内側を上下に仕切る仕切壁と、前記カバーにおいて、仕切壁よりも上と下の位置にそれぞれ開口された上側開口部および下側開口部と、前記カバーの表面であって前記上側開口部と下側開口部との間に位置し、前記仕切壁に連続して形成された遮蔽壁と、前記器体の内部に設置され、前記上側開口部に臨んで配置された感熱センサ，前記仕切壁の下側であって前記遮蔽壁の内側面に対向して配置された発光体，および電源との接続用の接続端子を含む電子部品を一体に取り付けた基板と、前記上側開口部を覆うセンサレンズと、前記基板上に取り付けられ、前記センサレンズを支持するレンズホルダと、前記下側開口部を覆うランプフードと、前記発光体の光を下側開口部に導く傾斜壁と、を備え、前記遮蔽壁の下端を、前記発光体よりも下方の位置まで延ばし、前記仕切壁、遮蔽壁および傾斜壁を前記カバーと一体成形した構成とした。
【０００９】
したがって、本発明によれば、感熱センサが人を検知したら発光体を点灯させることができ、スイッチ操作を行うことなく自動的に点灯／消灯を行うことができ、これにより、消費電力の削減ならびに操作性の向上を図ることができる。また、点灯時には、発光体の光は、上側開口部に対しては器体内において仕切壁で遮られているため、上側開口部から上方に向かうことなく下側開口部からのみ器体外に導かれて、照明を行うものであり、かつ、この時、発光体の光を、傾斜壁により下側開口部により導くようにしていることにより、発光体の直接光が下側開口部から上方に向かい難い。よって、発光体の光が、利用者の目に入ることなく、防眩性能の向上を図り、足元のみを照らすようにすることができる。さらに、感熱センサが内部に設けられているため、別途感熱センサを設置する必要がなくなり、設置の手間ならびに部品点数を削減できる。
【００１０】
また、前記カバーの表面に、上側開口部と下側開口部との間に位置して、遮蔽壁を前記仕切壁に連続して形成し、前記発光体を遮蔽壁の内側面に対向して配置するのが好ましい。この構成によれば、発光体の点灯時に、発光体から正面に水平に向かう光は遮蔽壁により遮られ、光がよりいっそう下側開口部から上方に向かい難くなり、防眩性能の向上を図ることができる。
【００１１】
また、前記傾斜壁を、前記カバーと一体に形成するのが好ましい。この構成によれば、発光体の光を、好ましい方向である足元方向に導くようにすることができる傾斜壁を、安価かつ容易に提供することができる。
【００１２】
また、請求項２に記載のように、請求項１記載の足元用照明器具において、前記傾斜壁を、発光体の光を集光する方向に円弧状に形成するのが好ましい。この構成によれば、円弧状の傾斜壁により、発光体の光を、むやみに拡散させることなく、足元用照明器具として好ましい方向である足元方向に集めて、照明性能の向上を図ることができる。
【００１３】
また、請求項３に記載のように、請求項１または２記載の足元用照明器具において、前記発光体を、白色ＬＥＤで構成するのが好ましい。この構成によれば、電球の交換が不要となって、メンテナンス性の向上を図ることができ、かつ、電球交換に対応した安全対策が不要となって構成の簡略化を図ることができる。
【００１４】
また、請求項４に記載のように、請求項１ないし３記載の足元用照明器具において、前記電源の接続端子を、前記傾斜壁の裏面に配置するのが好ましい。
【００１５】
また、請求項５に記載のように、請求項１ないし４記載の足元用照明器具において、前記基板に、光センサを感熱センサに並設するのが好ましい。この構成によれば、光センサにより、発光体を発光させることが不要な状態を検知して、人を検知しても無駄に点灯しないようにすることができる。
【００１６】
【発明の実施の形態】
以下に、本発明の実施の形態を図面に基づいて説明する。
【００１７】
図６は、実施の形態の足元用照明器具の設置状態を示す斜視図である。
本実施の形態では、足元用照明器具を家屋内、例えば廊下などに設置する場合を示しており、特に、本実施の形態では、コンセントと一体的に設置した形態を示している。すなわち、図６において、Ａは本実施の形態の足元用照明器具、Ｄは家屋の壁などに取り付けるプレート、ＣはこのプレートＤの前面を覆うプレートカバー、Ｂはコンセントである。なお、このように、本実施の形態では、屋内用のものを示しているが、玄関や渡り廊下などような屋外にも適用することができる。
【００１８】
以下に、図１〜図５により実施の形態の足元用照明器具Ａについて詳細に説明する。なお、図１は足元用照明器具の分解斜視図、図２は足元用照明器具の斜視図、図３は足元用照明器具の縦断面図、図４は足元用照明器具の横断面図、図５は足元用照明器具の５面図である。
【００１９】
図２に示すとおり、足元用照明器具Ａは、箱形に形成された器体１を有しており、この器体１は、前面側を覆う樹脂製のカバー３と、後面側を覆う樹脂製のケース２とを備え、ケース２に形成された４つの爪２５をそれぞれカバー３に形成された受穴３５に係合させることで両者２，３が相対的に固定されている。
【００２０】
前記カバー３は、図１に示すように、前面に、上側開口部３２ａと遮蔽壁３３と下側開口部３２ｂとが、上から順に（この上下方向は図６に示す設置状態における方向を言い、以下において方向を述べる場合もこの設置状態における方向とする）形成されている。なお、上側開口部３２ａならびに遮蔽壁３３は、緩やかな円弧形状に形成されている。また、カバー３の側面に形成されている複数の突起１１０は、前記プレートＤへの取付の際の位置決め用のものである。
【００２１】
前記上側開口部３２ａは、熱線を透過させる半透明の薄板から成るセンサレンズ９により覆われており、一方、前記下側開口部３２ｂは、所望の光の透過量が確保され半透明のランプフード１０により覆われている。なお、前記センサレンズ９は、図１に示すように、円弧形状に形成され、かつ、箱状に形成されたレンズホルダ８に爪９２を係合させることで支持されている。そして、このレンズホルダ８は、爪８４を第１基板７ａに形成された穴７４に係合させることで、基板７に支持されている。一方、前記ランプフード１０は、図示のように、前面が３面の山形形状に形成されているとともに、下面１０２を有したに縦断面Ｌ字形状に形成されている。そして、上端部および下端部に形成された係合穴１０４，１０３をカバー３に形成された爪３９，３８（図３参照）に係合させるとともに、内面に突設された凸条１０１，１０１をケース２の下端部前面に形成された溝３６，３６に係合させて固定されている。また、本実施の形態では、このランプフード１０として、白色のものを用いているが必要に応じて他の色に着色してもよい。
【００２２】
さらに、図３に示されているように、前記遮蔽壁３３と一体に、仕切壁３１が水平方向に形成されており、この仕切壁３１によりカバー３の内部が上下に仕切られている。
【００２３】
前記器体１の内部には、電子部品を有した基板７が設置されている。この基板７は、第１基板７ａと第２基板７ｂとを略平行に並べて構成され、第１基板７ａの前面には、白色ＬＥＤから成る発光体７１と、熱線を検知する感熱センサ７２と、光を検出する光センサ７３と、が設けられていて、設置状態において、感熱センサ７２および光センサ７３が、前記仕切壁３１の上側に前記上側開口部３２ａに臨んで配置されている一方、前記発光体７１が、仕切壁３１の下側に前記遮蔽壁３３の内面に対向して配置されている。
【００２４】
さらに、前記カバー３には、発光体７１の下方位置であって、ランプフード１０（下側開口部３２ｂ）と対向する位置に、傾斜壁３４が形成されている。この傾斜壁３４は、発光体７１の光を反射させ、その間接光をランプフード１０（下側開口部３２ｂ）を介して斜め下方に導くとともに、この間接光を所定範囲外に拡散させることなく集光するものであり、図示のように前面が、上向き傾斜しているとともに、図４に示すように中央が窪んだ円弧形状に形成されている。
【００２５】
前記傾斜壁３４の裏側には、基板７に設けられている電子回路と電源とを接続する接続端子４，４が設けられている。これら接続端子４，４は、図１に示すように、前面に設けられている切り起こしによる突片４２ならびに円柱状の突起４３を、第１基板７ａに形成された係合穴７５，７６に差し込んで突片４２を係合穴７６周囲に形成された電子回路の回路パターンに半田付して固定されている。各接続端子４には、押えばね５，５および解除部材６が組み込まれ、その組込み状態で、ケース２の端子収納部２１に収納されている。なお、押えばね５，５は、接続端子４の挟持片４１と協同して図４に示すケース２の裏側に設けた導線挿入孔２３から挿入した図外の導線を挟持するものであり、また、解除部材６は、同じくケース２の裏側に設けた工具挿入孔２４からドライバなどの工具を差し込むことで押えばね５を撓ませて導線の挟持を解除するための部材である。また、ケース２において２２は、第２基板７ｂを収容している基板収納部２２である。
【００２６】
次に、基板７に設けられている電子部品について簡単に説明すると、この電子部品は、発光体７１の点灯／消灯を制御する。すなわち、この電子部品は、感熱センサ７２が人（熱線）を検出したら、その時点から予め設定された一定時間だけ発光体７１を点灯させ、それ以外では発光体７１を消灯させておく制御を実行するとともに、この点灯制御を、光センサ７３が所定以上の光量を検出しない夜間などの暗い場合に限って行うよう制御するものである。
【００２７】
以上のように構成した足元用照明器具Ａは、屋内において、例えば、寝室とトイレとを結ぶ廊下などにおいて床に近い低い位置に設置して使用する。その設置にあたって、本実施の形態の足元用照明器具Ａを設置すれば、照明部分と感熱センサ部分とが同時に設置され、これらを別体としたものに比べて取付作業性に優れるとともに、部品点数を削減して、コストダウンを図ることが可能となる。
【００２８】
また、足元用照明器具Ａは、夜間、人を検出した時のみ発光体７１が自動的に点灯して足元を照明するもので、スイッチ操作の煩わしさがないとともに、必要な時しか点灯しないため消費電力を削減できる。
【００２９】
そして、点灯時において、発光体７１の光はランプフード１０を介して器体１の外に向かうが、この場合、図３に示すように、発光体７１から直接下方に向かう光と、仕切壁３１で反射して下方に向かう光と、傾斜壁３４で反射して下方に向かう光との、そのいずれの光も図示のように下方に向かうもので、この光が上方に向かうことがない。
したがって、照明範囲を足元に絞ることができ、夜間、利用者に対して照明の光を眩しいと感じさせることがない。このことは、利用者が、老人などのように瞳孔の調整機能が低下した人である場合に、特に有効である。ちなみに、このように瞳孔の調整機能が低下した人にあっては、寝起きの状態で瞳孔が開いている時に光が目に入った場合、瞳孔を瞬時に閉じることができないため、非常に眩しく感じるとともに、しばらくの間、目が見えない状態となってしまうものであり、本実施の形態では、このような状態になるのを確実に防止できる。
【００３０】
さらに、本実施の形態では、上記点灯時に、直接光で照らされる場合が、遮蔽壁３３および下側開口部３２ｂにより狭められており、かつ、傾斜壁３４および仕切壁３１による間接光で照らす範囲を広く採っていることにより、照度を抑えたやさしい照明としている。したがって、これによっても、高い防眩性能が得られ、しかも、照度の設定自由度が高まるものである。
【００３１】
加えて、本実施の形態では、上述のように間接光を得るための傾斜壁３４を円弧形状に形成しているため、照明範囲が水平方向に拡散することなく照明範囲が絞られるものであり、これによっても、高い防眩性能が得られるとともに、足元用照明器具としての製品品質を高めることができる。
【００３２】
また、本実施の形態にあっては、発光体７１として、白色ＬＥＤを使用しているため、電球を用いた場合に比べて、電球の交換が不要でありメンテナンス性に優れているとともに、電球交換時における安全対策のための構成（例えば、電球交換時を検出して通電をカットするような構成）を省略でき、コスト低減を図ることができる。
【００３３】
加えて、本実施の形態の足元用照明器具Ａは、プレートＤにコンセントＢと共に設けており、廊下などの、コンセントならびに足元照明が必要な箇所に設けるのに最適であるし、コンセントの設置手間も省くことができる。
【００３５】
【発明の効果】
以上説明してきたように本発明の足元用照明器具にあっては、感熱センサが人を検知したら発光体を点灯させることができ、スイッチ操作を行うことなく自動的に点灯／消灯を行うことができ、これにより、消費電力の削減ならびに操作性の向上を図ることができるという効果を得られる。
さらに、点灯時には、発光体の光は、上側開口部に対しては器体内において仕切壁で遮られているため、上側開口部から上方に向かうことなく下側開口部からのみ器体外に導かれて、照明を行うものであり、かつ、この時、発光体の光を、傾斜壁により下側開口部により導くようにしていることにより、発光体の直接光が下側開口部から上方に向かい難い。よって、発光体の光が、直接的に利用者の目に入ることなく、防眩性能の向上を図り、足元のみを照らすようにすることができ、足元用照明器具としての製品品質の向上を図ることができるという効果が得られる。さらに、感熱センサを内部に設けているため、別途感熱センサを設置する必要がなくなり、設置の手間ならびに部品点数を削減できるという効果が得られる。
【００３６】
さらに、請求項１に記載の発明では、発光体の点灯時に、発光体から正面に水平に向かう光は遮蔽壁により遮られ、光がよりいっそう下側開口部から上方に向かい難くなり、防眩性能の向上を図ることができるという効果が得られる。
【００３７】
また、請求項１に記載の発明では、発光体の光を、好ましい方向である足元方向に導くようにすることができる傾斜壁を、安価かつ容易に提供することができるという効果を奏する。
【００３８】
また、請求項２に記載の発明では、円弧状の傾斜壁により、発光体の光を、むやみに拡散させることなく、足元用照明器具として好ましい方向である足元方向に集めて、照明性能の向上を図ることができるという効果を奏する。
【００３９】
また、請求項３に記載の発明では、電球の交換が不要となって、メンテナンス性の向上を図ることができ、かつ、電球交換に対応した安全対策が不要となって構成の簡略化を図ることができるという効果を奏する。
【００４０】
また、請求項５に記載の発明では、光センサにより、発光体を発光させることが不要な状態を検知して、人を検知しても無駄に点灯しないようにすることができるという効果を奏する。
【図面の簡単な説明】
【図１】実施の形態の足元用照明器具の分解斜視図である。
【図２】実施の形態の足元用照明器具の斜視図である。
【図３】実施の形態の足元用照明器具の縦断面図である。
【図４】実施の形態の足元用照明器具の横断面図である。
【図５】実施の形態の足元用照明器具の５面図である。
【図６】実施の形態の足元用照明器具の設置状態を示す斜視図である
【符号の説明】
Ａ  足元用照明器具
Ｂ  コンセント
Ｃ  プレートカバー
Ｄ  プレート
１  器体
２  ケース
２１  端子収納部
２２  基板収納部
２３  導線挿入孔
２４  工具挿入孔
２５  爪
３  カバー
３１  仕切壁
３２ａ  上側開口部
３２ｂ  下側開口部
３３  遮蔽壁
３４  傾斜壁
３５  受穴
３６  溝
４  接続端子
４１  挟持片
４２  突片
４３  突起
５  押えばね
６  解除部材
７  基板
７ａ  第１基板
７ｂ  第２基板
７１  発光体
７２  感熱センサ
７３  光センサ
７４  穴
７５  係合穴
７６  係合穴
８  レンズホルダ
９  センサレンズ
９２  爪
１０  ランプフード
１０１  凸条
１０３  係合穴
１０４  係合穴
１１０  突起
【図１】
0004190075.tif 000002
【図２】
0004190075.tif 000003
【図３】
0004190075.tif 000004
【図４】
0004190075.tif 000005
【図５】
0004190075.tif 000006
【図６】
0004190075.tif 000007